(57)【特許請求の範囲】
【請求項１】
ＷＤＭとよばれる光波長分割多重化された、少なくとも２つの異なる帯域幅に調整可能な伝送チャネルを備えるＷＤＭグリッドの、調整可能な帯域幅の伝送チャネル（１１１）で、光信号を対応する光受信機（２３０）に送信するように構成された光送信機（２１０）であって、
ＷＤＭ伝送チャネルの所与の帯域幅についての、光送信機（２１０）から受信された第１の光信号に基づいて対応する光受信機（２３０）において構成された等化フィルタ（２７０）のスペクトル応答に関する情報を受信するように構成されたプロファイリングユニット（２１７）と、
パルス整形フィルタを使用して第２の系列のデータシンボル（２１１）をフィルタリングして、その結果、フィルタリングされた系列のデータシンボル（２１１）をもたらすように構成されたパルス整形フィルタユニット（２１２）であって、光送信機（２１０）が、光送信機（２１０）をＷＤＭ伝送チャネル（１１１）の所与の帯域幅に適応させるために、ＷＤＭ伝送チャネルの所与の帯域幅についての等化フィルタ（２７０）のスペクトル応答に関する情報に基づいて、パルス整形フィルタの周波数応答（４０４、４０５）を適応させるように構成された、パルス整形フィルタユニット（２１２）と
フィルタリングされた系列のデータシンボル（２１１）を、光受信機（２３０）に送信されるべき第２の光信号に変換するように構成されたデジタル−光変換器（２１４、２１５、２１６）とを備える、光送信機（２１０）。
【請求項２】
前記パルス整形フィルタが、前記等化フィルタ（２７０）の前記スペクトル応答に関する情報に依存するプリエンファシスフィルタであり、さらに
パルス整形フィルタユニット（２１２）が、フィルタリングされた系列のデータシンボル（２１１）を、ＷＤＭ伝送チャネル（１１１）の帯域幅に適応させられたデフォルトの送信機フィルタを使用してさらにフィルタリングするように構成される、請求項１に記載の光送信機（２１０）。
【請求項３】
前記パルス整形フィルタが、前記等化フィルタ（２７０）の前記スペクトル応答に関する情報に依存するプリエンファシスフィルタとＷＤＭ伝送チャネル（１１１）の帯域幅に適応させられたデフォルトの送信機フィルタの組み合わせに対応する、請求項１に記載の光送信機（２１０）。
【請求項４】
プロファイリングユニット（２１７）が、
前記等化フィルタ（２７０）の前記スペクトル応答に関する情報に基づいて、前記等化フィルタ（２７０）のフィルタ応答を近似する周波数応答を有するプリエンファシスフィルタを決定するように構成される、請求項２または３に記載の光送信機（２１０）。
【請求項５】
前記等化フィルタ（２７０）の前記スペクトル応答に関する情報が、
前記等化フィルタ（２７０）の周波数応答を近似する適合曲線の１つまたは複数の適合パラメータ、
前記等化フィルタ（２７０）の１つまたは複数のフィルタ係数、および
フィルタの所定のリストに対する、対応する受信機（２３０）において選択された等化フィルタを識別するインデックスのうちのいずれか、または複数を備え、前記選択された等化フィルタの周波数応答が、前記等化フィルタ（２７０）の周波数応答を近似する、請求項１から４のいずれかに記載の光送信機（２１０）。
【請求項６】
ＷＤＭとよばれる光波長分割多重化された、少なくとも２つの異なる帯域幅に調整可能な伝送チャネルを備えるＷＤＭグリッドの、調整可能な帯域幅の伝送チャネル（１１１）上で、対応する送信機（２１０）から光信号を受信するように構成された光受信機（２３０）であって、
光送信機（２１０）から受信された第１の光信号をデジタル信号に変換するように構成され、デジタル信号が、第１の系列のデータシンボルを表す、光−デジタル変換器（２３１）と、
等化フィルタ（２７０）を使用してデジタル信号をフィルタリングして、フィルタリングされたデジタル信号をもたらすように構成された等化ユニット（２３４）と、
ＷＤＭ伝送チャネル（１１１）の伝達関数を補償するため、対応する送信機（２１０）において第１の系列のデータシンボルに適用されるパルス整形フィルタを補償するため、および光受信機（２３０）を伝送チャネル（１１１）の所与の帯域幅に適応させるために、前記フィルタリングされたデジタル信号に基づいて等化フィルタ（２７０）を適応させるように構成された適応ユニット（２７２）と、
ＷＤＭ伝送チャネル（１１１）の所与の帯域幅に光送信機（２１０）を適応させるためにパルス整形フィルタの周波数応答を変更するために、等化フィルタ（２７０）のスペクトル応答に関する情報を対応する送信機（２１０）に供給するように構成されたフィードバックユニット（２３７）とを備える、光受信機（２３０）。
【請求項７】
第１の光信号が、第１の偏波と、第２の偏波とを備える偏波多重化された光信号であり、
デジタル信号が、それぞれ、同相成分と、直交位相成分とをそれぞれが備える第１の偏波成分と、第２の偏波成分とを備え、
等化ユニット（２３４）が、偏波多重分離ユニット（２３４）であり、
フィルタリングされたデジタル信号が、第１の偏波成分と、第２の偏波成分とを備え、
等化フィルタ（２７０）が、バタフライ構造の、複数の有限インパルス応答フィルタ（以下、複数のＦＩＲフィルタと称する）（２７１）を備え、さらに
フィードバックユニット（２３７）が、複数のＦＩＲフィルタ（２７１）に基づいて、前記等化フィルタ（２７０）の前記スペクトル応答に関する情報を決定するように構成される、請求項６に記載の光受信機（２３０）。
【請求項８】
フィードバックユニット（２３７）が、
第１の偏波、および第２の偏波に関する複数のＦＩＲフィルタ（２７１）のコモンモード成分をそれぞれ決定し、さらに
第１の偏波、および第２の偏波に関するコモンモード成分に基づいて、前記等化フィルタ（２７０）の前記スペクトル応答に関する情報を決定するように構成される、請求項７に記載の光受信機（２３０）。
【請求項９】
前記等化フィルタ（２７０）の前記スペクトル応答に関する情報が、前記等化フィルタ（２７０）から導き出されるフィルタのフィルタ係数を備える、請求項６から８のいずれかに記載の光受信機（２３０）。
【請求項１０】
フィードバックユニット（２３７）が、
前記等化フィルタ（２７０）の周波数応答を近似し、さらに
前記等化フィルタ（２７０）の近似された周波数応答に基づいて、前記等化フィルタ（２７０）の前記スペクトル応答に関する情報を決定するように構成される、請求項６から８のいずれかに記載の光受信機（２３０）。
【請求項１１】
前記等化フィルタ（２７０）を近似することが、１つまたは複数の適合パラメータを使用して前記等化フィルタ（２７０）の周波数応答を適合させることを備え、さらに
前記等化フィルタ（２７０）の前記スペクトル応答に関する情報が、１つまたは複数の適合パラメータを備える、請求項１０に記載の光受信機（２３０）。
【請求項１２】
前記等化フィルタ（２７０）を近似することが、フィルタの所定のリストからフィルタを選択することを備え、
選択されたフィルタの周波数応答が、前記等化フィルタ（２７０）の周波数応答を近似し、さらに
前記等化フィルタ（２７０）の前記スペクトル応答に関する情報が、フィルタの所定のリストに対する、選択されたフィルタを識別するインデックスを備える、請求項１０に記載の光受信機（２３０）。
【請求項１３】
ＷＤＭとよばれる光波長分割多重化された、伝送に適応させられた光伝送システム（２００）であって、
請求項１から５のいずれかに記載の光送信機（２１０）と、
請求項６から１２のいずれかに記載の光受信機（２３０）と、
光受信機（２３０）から光送信機（２１０）に等化フィルタ（２７０）のスペクトル応答に関する情報を伝送するように構成されたフィードバック経路（２６０）とを備える、光伝送システム（２００）。
【請求項１４】
フィードバック経路（２６０）が、
光伝送システム（２００）の制御プレーン（２６０）と、
光受信機（２３０）を備える遠端トランスポンダから光送信機（２１０）を備える近端トランスポンダに至るＷＤＭ伝送チャネルのうちのいずれか、または複数を備える、請求項１３に記載の光伝送システム（２００）。
【請求項１５】
光送信機（２１０）と、対応する光受信機（２３０）とを備える光伝送システム（２００）の信号対ノイズ比を高めるための方法であって、光送信機が、ＷＤＭとよばれる光波長分割多重化された、少なくとも２つの異なる帯域幅に調整可能な伝送チャネルを備えるＷＤＭグリッドの、調整可能な帯域幅の伝送チャネル（１１１）で、光受信機（２３０）に光信号を送信するように構成されており、方法が、
ＷＤＭ伝送チャネル（１１１）の所与の帯域幅について、光受信機（２３０）において構成された等化フィルタ（２７０）のスペクトル応答に関する情報を受信するステップと、
光送信機（２１０）でパルス整形フィルタを使用して系列のデータシンボル（２１１）をフィルタリングして、その結果、フィルタリングされた系列のデータシンボル（２１１）をもたらすステップであって、パルス整形フィルタの周波数応答（４０４、４０５）が、ＷＤＭ伝送チャネル（１１１）の所与の帯域幅に対して光送信機（２１０）を適応させるために、ＷＤＭ伝送チャネルの所与の帯域幅についての前記等化フィルタ（２７０）のスペクトル応答に関する情報に基づいて構成される、ステップと、
フィルタリングされた系列のデータシンボル（２１１）を光信号に変換するステップと、
光信号を光受信機（２３０）に送信するステップとを備える、方法。
【発明の詳細な説明】
【技術分野】
【０００１】
本出願は、光通信システムに関する。詳細には、本出願は、高効率波長分割多重化（ＷＤＭ）光通信システムに関する。
【背景技術】
【０００２】
高スペクトル効率光通信システムは、光通信ネットワークにおける容量増加の予期される要求に対処するために有益である。この文脈で、マルチレベル変調フォーマット（例えば、四位相偏移変調、ＱＰＳＫ）と併せて、偏波多重化（ＰＤＭ）、ならびにデジタルコヒーレント検出技法が研究されている。偏波分割多重化された四位相偏移変調（ＰＤＭ−ＱＰＳＫ）が、コヒーレント検出と対にされて、１１２Ｇｂ／秒（通常、１００Ｇｂ／秒と呼ばれる）の伝送レートを実現するのに使用され得る。このフォーマットは、隣接する２つのＷＤＭチャネル（すべてのＷＤＭチャネル１０１が同一のチャネル幅を有する、図１のＷＤＭチャネル図１００に示される）の間の５０ＧＨｚグリッドに基づく標準のＷＤＭ伝送システムにおいて、２ｂ／秒／Ｈｚというスペクトル効率をもたらす。そのような１００Ｇｂ／秒システムのスペクトル効率を高める可能な１つのアプローチが、ＰＤＭ−８ＱＡＭ、ＰＤＭ−１６ＱＡＭなどの、より高レベルの変調フォーマットを使用することである。しかし、そのようなフォーマットは、通常、光ノイズに対して、より低い感度を有するとともに、非線形効果に対して、より弱い耐性を有し、したがって、ＰＤＭ−ＱＰＳＫと比べて、伝送可能距離が短くなることをもたらし得る。
【０００３】
１００Ｇｂ／秒の光伝送システムのスペクトル効率をさらに高める別のアプローチが、ＷＤＭチャネルを密に詰める、すなわち隣接するＷＤＭチャネル間のチャネル間隔を狭めることである。３ｂ／秒／Ｈｚまたは４ｂ／秒／Ｈｚのスペクトル効率を有する伝送が、それぞれ、３３ＧＨｚグリッド上、および２５ＧＨｚグリッド上で（従来の５０ＧＨｚグリッドではなく）１００Ｇｂ／秒のＰＤＭ−ＱＰＳＫチャネルを使用して実現され得る。
【０００４】
柔軟性のあるグリッドＷＤＭシステムが、伝送される容量と伝送可能距離の間の（最適な）トレードオフに依存して帯域幅占有率を最適化するために使用され得る。例として、固定の５０ＧＨｚグリッドを有するのではなく、異なる幅のチャネルスロットを定義するために（ＩＴＵグリッドから始めて）１２．５ＧＨｚの粒度を有する、ある程度柔軟性のあるシステムアーキテクチャが、使用されることが可能である。このことは、光パス障害と要求される容量の間の（最適な）トレードオフに依存して、所定の範囲内でチャネル密度を変えることを可能にする。このことが、異なるＷＤＭチャネル１１１、１２３が異なるチャネル幅を有する、図１のＷＤＭチャネル図１１０に示される。
【先行技術文献】
【非特許文献】
【０００５】
【非特許文献１】Ｇｏｄａｒｄ、ＩＥＥＥ  Ｔｒ．Ｃｏｍｍ、ｖｏｌ．２８、ｎｏ．１１、１８６７−１８７５頁、１９８０年
【非特許文献２】Ｓ．Ｊ．Ｓａｖｏｒｙ他、「Ｄｉｇｉｔａｌ  Ｅｑｕａｌｉｚａｔｉｏｎ  ｏｆ  ４０Ｇｂｉｔ／ｓ  ｐｅｒ  Ｗａｖｅｌｅｎｇｔｈ  Ｔｒａｎｓｍｉｓｓｉｏｎ  ｏｖｅｒ  ２４８０ｋｍ  ｏｆ  Ｓｔａｎｄａｒｄ  Ｆｉｂｅｒ  ｗｉｔｈｏｕｔ  Ｏｐｔｉｃａｌ  Ｄｉｓｐｅｒｓｉｏｎ  Ｃｏｍｐｅｎｓａｔｉｏｎ」、Ｐｒｏｃｅｅｄｉｎｇｓ  ｏｆ  ＥＣＯＣ２００６、Ｃａｎｎｅｓ、Ｆｒａｎｃｅ、ｐａｐｅｒ  Ｔｈ２．５．５、２００６年９月
【非特許文献３】ＩＴＵ−Ｔ標準Ｇ．７０９
【発明の概要】
【発明が解決しようとする課題】
【０００６】
より狭いチャネル間隔で機能するＷＤＭシステムは、伝送可能距離が少ししか短くならないようにしながら、システム容量を増加させる効率的な方法であるように見える。しかし、伝送チャネルの光受信機における信号対ノイズ比（ＳＮＲ）の最適化は、異なる幅（例えば、５０ＧＨｚ、３７．５ＧＨｚ、２５ＧＨｚなど）のＷＤＭチャネル１１１、１１２に関して使用される異なるフィルタリング関数が、光信号を異なる様態で歪ませるので、柔軟性のあるグリッドシステムにおいて難易度が高い。本出願は、前述した技術的問題に対処する。詳細には、本出願は、光伝送システムの対応する光受信機におけるＳＮＲを高めるために、光伝送システムの送信機において適切な光フィルタを選択するための方法を説明する。
【課題を解決するための手段】
【０００７】
或る態様によれば、光送信機が説明される。この光送信機は、対応する光受信機に光波長分割多重化された（ＷＤＭ）伝送チャネルで光信号を送信するように構成される。ＷＤＭ伝送チャネルは、ＷＤＭチャネルの所定のグリッドに依存することが可能な所定の帯域幅を有し得る。帯域幅は、ＷＤＭチャネルのグリッドに従って調整可能であり得る。例として、帯域幅は、１２．５ＧＨｚというグリッド粒度で調整可能であり得る。この光送信機は、ＷＤＭ伝送チャネルの帯域幅を調整するように構成され得る。
【０００８】
この光送信機は、等化フィルタに関する情報を受け取るように構成されたプロファイリングユニットを備え、その等化フィルタは、対応する光受信機において構成されている、または調整されている。その等化フィルタは、対応する光受信機によって、光受信機に対してＷＤＭ伝送チャネルを介して光送信機から送信された第１の光信号が被る歪みを補償するのに使用され得る。第１の光信号は、通常、第１の系列のデータシンボルを表す。詳細には、第１の光信号は、光搬送波信号を、第１の系列のデータシンボルから導き出された系列のシンボルで変調することによって得られていることが可能である。このコンテキストで、その等化フィルタが、光送信機において実行されたパルス整形フィルタリングを補償するように、対応する光受信機によって使用され得る。そのようなパルス整形フィルタリングは、第１の系列のデータシンボルを調整し、その結果、第１の光信号をＷＤＭ伝送チャネルの帯域幅に調整するために、光送信機において実行され得る。このため、等化フィルタは、光送信機から受信された第１の光信号に基づいて、対応する光受信機において構成されていることが可能である。
【０００９】
さらに、光送信機は、パルス整形フィルタを使用して第２の系列のデータシンボルをフィルタリングして、その結果、フィルタリングされた系列のデータシンボルをもたらすように構成されたパルス整形フィルタユニットを備える。パルス整形フィルタの周波数応答は、等化フィルタに関する情報に依存し得る。つまり、パルス形成フィルタは、光受信機から受信された等化フィルタに関する情報に応じて調整され得る。
【００１０】
さらに、光送信機は、フィルタリングされた系列のデータシンボルを、ＷＤＭ伝送チャネルを介して光受信機に送信されるべき第２の光信号に変換するように構成されたデジタル−光変換器を備えることが可能である。このデジタル−光変換器は、１つまたは複数のデジタル−アナログ変換器（ＤＡＣ）と、光搬送波信号をフィルタリングされた系列のシンボルで変調して、第２の光信号をもたらすための変調ユニットとを備えることが可能である。
【００１１】
このため、光送信機は、光送信機のパルス形成フィルタを、対応する光受信機から受信された情報に基づいて構成して、その結果、光受信機において受信される信号の信号対ノイズ比（ＳＮＲ）を高めるように構成され得る。このプロセスは、光送信機および光受信機の立ち上げ段階（例えば、ＷＤＭ伝送チャネルの帯域幅の変更の後に続く）中に実行され得る。例として、光送信機が、第１の光信号に関する第１の系列のデータシンボルをフィルタリングする際に、デフォルトの送信機フィルタを（パルス整形フィルタとして）使用するように構成され得る。次に、光受信機が、受信された第１の光信号に基づいて等化フィルタを適応させ、さらに等化フィルタに関する情報を光送信機に供給することが可能である。次に、光送信機が、等化フィルタに関する情報に基づいてパルス整形フィルタを調整し、さらに（デフォルトの送信機フィルタではなく）その調整されたパルス整形フィルタを使用して（第１の光信号の後に続く）第２の光信号を生成することが可能である。その結果、光送信機および光受信機が、ＷＤＭ伝送チャネルの（変更された）帯域幅に適応させられることが可能である。
【００１２】
パルス整形フィルタは、等化フィルタに関する情報に依存して、プリエンファシスフィルタに対応することが可能である。このため、パルス整形フィルタユニットは、プリエンファシスフィルタを使用して第２の系列のデータシンボルをフィルタリングするように構成され得る。さらに、パルス整形フィルタユニットは、そのフィルタリングされた系列のデータシンボルを、デフォルトの送信機フィルタを使用してさらにフィルタリングするように構成されることが可能であり、デフォルトの送信機フィルタは、通常、ＷＤＭ伝送チャネルの帯域幅に適応させられる。代替として、パルス整形フィルタは、等化フィルタに関する情報に依存するプリエンファシスフィルタと、ＷＤＭ伝送チャネルの帯域幅に、通常、適応させられるデフォルトの送信機フィルタの組み合わせに対応してもよい。パルス整形フィルタがそのような組み合わせに対応する場合、パルス整形フィルタユニットは、（プリエンファシスフィルタとデフォルトの送信機フィルタを順次に適用する代わりに）単一の複合パルス整形フィルタを適用するように構成され得る。
【００１３】
プロファイリングユニットは、プリエンファシスフィルタの周波数応答が等化フィルタのフィルタ応答を近似するようにプリエンファシスフィルタを決定するように構成され得る。この目的で、プロファイリングユニットは、等化フィルタに関する情報を利用することが可能である。例えば、等化フィルタに関する情報は、以下、すなわち、等化フィルタの周波数応答を近似する適合曲線の１つまたは複数の適合パラメータ、等化フィルタの１つまたは複数のフィルタ係数、および／または対応する受信機において選択されたフィルタを識別する、フィルタの所定のリストに対するインデックスのうちのいずれかまたは複数を備えることが可能であり、選択されたフィルタの周波数応答は、等化フィルタの周波数応答を近似する。
【００１４】
さらなる態様によれば、対応する送信機からの光波長分割多重化された（ＷＤＭ）伝送チャネルで光信号を受信するように構成された光受信機が説明される。この光受信機は、光送信機から受信された第１の光信号をデジタル信号に変換するように構成された光−デジタル変換器を備える。光受信機は、コヒーレント光受信機であり得る。このため、光−デジタル変換器は、１つまたは複数のペアのアナログ電気信号をもたらすコヒーレント光検出ユニットを備えることが可能であり、ペアのアナログ電気信号が、（成分とも呼ばれる）同相信号と、直交位相信号とを備える。さらに、光−デジタル変換器は、アナログ信号をデジタル信号に変換する１つまたは複数のアナログ−デジタル変換器（ＡＤＣ）を備え得る。デジタル信号は、第１の光信号を変調するために光送信機において使用された第１の系列のデータシンボルを表す。
【００１５】
光受信機は、等化フィルタを使用してデジタル信号をフィルタリングして、その結果、フィルタリングされたデジタル信号をもたらすように構成された等化ユニットを備える。さらに、光受信機は、ＷＤＭ伝送チャネルにおける伝達関数を補償するため、さらに対応する送信機において第１の系列のデータシンボルに適用されたパルス整形フィルタ（例えば、デフォルトの送信機フィルタ）を補償するために、等化フィルタを適応させるように構成された適応ユニットを備える。適応ユニットは、デジタル信号（第１の光信号から導き出される）に基づいて、等化フィルタを決定するように構成され得る。例として、適応ユニットは、定包絡線アルゴリズムなどのブラインド適応技法を利用して、等化フィルタを決定することが可能である。代替として、またはさらに、適応ユニットは、適応技法に基づく訓練を利用してもよい。例として、第１の光信号が、光受信機に知られている系列の訓練シンボルを備えて、その結果、光受信機が等化フィルタをＷＤＭ伝送チャネルの伝達関数に、さらに／または光送信機のパルス整形フィルタによりうまく適応させることを可能にし得る。
【００１６】
光受信機は、パルス整形フィルタを変更する目的で、等化フィルタに関する情報を対応する送信機に供給するように構成されたフィードバックユニットをさらに備える。このフィードバックユニットは、別のＷＤＭ伝送チャネルの制御プレーンを利用して、等化フィルタに関するこの情報を光送信機に送信することが可能である。
【００１７】
さらに、光受信機は、フィルタリングされたデジタル信号に基づいて、第１の系列のデータシンボルを推定するように構成された判定ユニットを備えることが可能である。
【００１８】
光受信機および光送信機は、偏波分割多重化された（ＰＤＭ）光信号の伝送に適応させられることが可能である。このため、第１の光信号（および第２の光信号）は、第１の偏波、および第２の偏波をそれぞれ備える偏波分割多重化された光信号であることが可能であり、デジタル信号は、第１の偏波成分（または第１の偏波に関するデジタル信号）と、第２の偏波成分（または第２の偏波に関するデジタル信号）とを備えることが可能である。同様に、フィルタリングされたデジタル信号は、第１の偏波成分と、第２の偏波成分とを備えることが可能である。コヒーレント光受信機の場合、偏波成分のそれぞれが、それぞれ、同相成分と、直交位相成分とを備えることが可能である。
【００１９】
ＰＤＭの場合、等化ユニットは、偏波多重分離ユニットであることが可能であり、さらに等化フィルタは、バタフライ構造の、ＦＩＲフィルタと呼ばれる複数の有限インパルス応答フィルタを備えることが可能である。フィードバックユニットは、その複数のＦＩＲフィルタに基づいて、等化フィルタに関する情報を決定するように構成され得る。詳細には、フィードバックユニットは、それぞれ、第１の偏波、および第２の偏波に関するその複数のＦＩＲフィルタのコモンモード成分を決定するように構成され得る。第１の（第２の）偏波に関するコモンモード成分は、例えば、フィルタリングされたデジタル信号の第１の（第２の）偏波に寄与する等化フィルタのＦＩＲフィルタの合計に基づいて決定され得る。詳細には、第１の（第２の）偏波に関するコモンモード成分は、例えば、フィルタリングされたデジタル信号の第１の（第２の）偏波に寄与する等化フィルタのＦＩＲフィルタから導き出された絶対応答の二乗の合計に基づいて決定され得る。このため、等化フィルタに関する情報は、第１の偏波および／または第２の偏波に関するコモンモードに基づいて決定され得る。
【００２０】
前述したとおり、等化フィルタに関する情報は、等化フィルタから導き出されたフィルタのフィルタ係数を備えることが可能である。代替として、またはさらに、フィードバックユニットが、例えば、或る次数の多項式などの所定の適合曲線、または正弦適合曲線を使用して、等化フィルタの周波数応答を近似するように構成され、その結果、１つまたは複数の適合パラメータを使用して周波数応答を近似してもよい。この適合は、例えば、平均二乗誤差を小さくすること／最小化することによって実行され得る。フィードバックユニットは、等化フィルタの近似された周波数応答に基づいて、等化フィルタに関する情報を決定するように構成され得る。等化フィルタに関する情報は、１つまたは複数の適合パラメータを備えることが可能である。代替として、またはさらに、フィードバックユニットは、フィルタの所定のリストからフィルタを選択することによって、等化フィルタを近似するように構成されてもよい。選択されたフィルタの周波数応答は、等化フィルタの周波数応答を近似することが可能である（例えば、平均二乗誤差を小さくすること／最小化することによって）。そのような事例において、等化フィルタに関する情報は、場合により、ルックアップテーブル（ＬＵＴ）の中に格納された、フィルタの所定のリストに対する、選択されたフィルタを識別するインデックスを備えることが可能である。
【００２１】
さらなる態様によれば、波長分割多重化された（ＷＤＭ）伝送に適応させられた光伝送システムが説明される。この光伝送システムは、本出願において概略を述べた態様のいずれかによる光送信機を備える。さらに、この光伝送システムは、本出願において概略を述べた態様のいずれかによる光受信機を備える。さらに、この光伝送システムは、光受信機から光送信機に、等化フィルタに関する情報を伝送するように構成されたフィードバック経路を備えることが可能である。フィードバック経路は、以下、すなわち、光伝送システムの制御プレーン、または光受信機を備える遠端トランスポンダから光送信機を備える近端トランスポンダに至るＷＤＭ伝送チャネルのうちの１つまたは複数を備えることが可能である。
【００２２】
別の態様によれば、光送信機と、対応する光受信機とを備える光伝送システムの信号対ノイズ比および全体的なパフォーマンスを向上させるための方法が説明される。この方法は、等化フィルタに関する情報を受け取ることを備え、等化フィルタは、光受信機において構成されている。この方法は、パルス整形フィルタを使用して、系列のデータシンボルをフィルタリングすることに進み、その結果、フィルタリングされた系列のデータシンボルをもたらす。パルス整形フィルタの周波数応答は、等化フィルタに関する情報に依存する。さらに、この方法は、フィルタリングされた系列のデータシンボルを光信号に変換すること、および／またはその光信号を光受信機に送信することを備えることが可能である。
【００２３】
さらなる態様によれば、ソフトウェアプログラムが説明される。ソフトウェアプログラムは、コンピューティングデバイス上で実行されると、プロセッサ上で実行されるように、さらに本出願で概略を述べた方法ステップを実行するために構成されることが可能である。
【００２４】
別の態様によれば、記憶媒体が説明される。この記憶媒体は、コンピューティングデバイス上で実行されると、プロセッサ上で実行されるように、さらに本出願で概略を述べた方法ステップを実行するために構成されたソフトウェアプログラムを備えることが可能である。
【００２５】
さらなる態様によれば、コンピュータプログラム製品が説明される。このコンピュータプログラム製品は、コンピュータ上で実行されると、本出願で概略を述べた方法ステップを実行するための実行可能命令を備えることが可能である。
【００２６】
本特許出願において概略を述べた好ましい実施形態を含む方法およびシステムは、スタンドアロンで使用されても、本明細書で開示されるその他の方法およびシステムと組み合わせで使用されてもよいことに留意されたい。さらに、本特許出願において概略を述べる方法およびシステムのすべての態様は、任意に組み合わされることが可能である。詳細には、特許請求の範囲の特徴は、互いに任意に組み合わされることが可能である。
【００２７】
本発明は、添付の図面を参照して例示的な様態で後段で説明される。
【図面の簡単な説明】
【００２８】
【図１】固定周波数グリッド上、および柔軟性のある周波数グリッド上の例示的なＷＤＭチャネルを示す図である。
【図２ａ】例示的な光伝送システムを示すブロック図である。
【図２ｂ】偏波デマルチプレクサユニットにおいて使用される例示的なフィルタバンクを示すブロック図である。
【図３】光伝送システムにおける送信機および受信機における例示的な光フィルタの周波数応答を示す図である。
【図４】光伝送システムの受信機において決定された１つまたは複数のフィルタに基づいて、送信機における光フィルタを構成するための例示的な方法を示す図である。
【発明を実施するための形態】
【００２９】
概説のセクションにおいて概略を述べたとおり、異なる幅のＷＤＭチャネルが、光伝送システムの容量を光伝送パス上の障害に適応させるのに使用され得る。異なるチャネル幅（チャネル間隔）を有するＷＤＭチャネル１１１、１１２が、図１のＷＤＭチャネル図１１０に示される。ＷＤＭチャネル１１１の幅を適応させる際、ＷＤＭチャネル１１１の送信機において使用される送信機フィルタは、通常、ＷＤＭチャネル１１１のより小さい帯域幅、またはより大きい帯域幅に適応させられなければならない。そのような送信機フィルタは、隣接するＷＤＭチャネル１１１、１１２の間のクロストークを低減するために、主にパルス整形のために使用される。このため、送信機フィルタは、パルス整形フィルタとも呼ばれ得る。送信機フィルタの周波数応答は、対応する受信機における電気信号対ノイズ比（ＳＮＲ）を最適化する（すなわち、高めるために）設計され得る。送信機フィルタをＷＤＭチャネル１１１の変更された幅に適応させるために、送信機フィルタは、可変の減衰プロファイルを備えて、その結果、送信機フィルタのカットオフ周波数を、ＷＤＭチャネル１１１の変更された幅に調整することを可能にし得る。本出願において、受信機側における受信されるＳＮＲが最適化される（すなわち、高められる）ように送信機側で使用されるフィルタリングプロファイルを動的に決定することが提案される。このため、全体的な光伝送チャネルのパフォーマンスを最適化する送信機フィルタを決定することが提案される。（コヒーレント）受信機において使用される（線形）適応等化器のうちの１つまたは複数の等化器の応答を解析することによって、送信機側でフィルタリングプロファイルを最適化することが提案される。受信機における１つまたは複数の適応等化器は、ＣＭＡ、つまり、定包絡線アルゴリズム、または他のブラインド適応技法を利用することが可能である。つまり、対応する受信機において利用可能である光伝送チャネルの伝達関数に関する情報に基づいて、送信機における送信機フィルタを決定することが提案される。このため、ＷＤＭチャネル１１１の幅を変更し、さらに送信機における送信機フィルタをその変更されたＷＤＭチャネル１１１に自動的に適応させることが可能であり、その自動的に適応させられた送信機フィルタは、受信機におけるＳＮＲを最適化する（すなわち、高める）。
【００３０】
図２ａは、送信機２１０と、光伝送パス２５０と、受信機２３０とを備える例示的な光伝送システム２００を示す。さらに、光伝送システム２００は、光伝送システム２００を管理するのに使用され得る制御プレーン２６０を備える。制御プレーン２６０は、通常、ネットワークプロトコルスイートＧＭＰＬＳ（汎用マルチプロトコルラベルスイッチング）を利用する。例として、制御プレーン２６０は、光伝送パス２５０上で使用されるＷＤＭチャネル１１１の幅を変えるよう送信機２１０および受信機２３０に命令するのに使用され得る。
【００３１】
送信機２１０は、例えば、ＡＳＩＣ（特定用途向け集積回路）として実装され得る、第１のデジタルシグナルプロセッサ２１８を備える。図示される例において、偏波多重化された光信号のための送信機２１０が示される。第１のデジタルシグナルプロセッサ２１８は、光信号の２つの偏波のための２つの系列のシンボル（例えば、ＱＰＳＫシンボル）２１１をそれぞれもたらす。この２つの系列のシンボル２１１は、光信号の２つの偏波に関する２つの送信機フィルタ２１２のバンクによってそれぞれフィルタリングされる。或る実施形態において、２つの送信機フィルタ２１２は、同一であるが、他の実施形態において、２つの送信機フィルタ２１２は、光信号のそれぞれの偏波に専用である。さらに、送信機２１０は、パルス整形フィルタのリストを与えるためのＬＵＴ（ルックアップテーブル）２１３を備えることが可能である。デジタル−アナログ変換器（ＤＡＣ）２１４のペアが、フィルタリングされた系列のシンボル２１１をペアの電気信号に変換するのに使用される。このペアの電気信号は、伝送パス２５０を介して伝送される光信号の２つの偏波を（ドライバ２１５および変調器２１６、例えば、ＭＺＭ、つまり、マッハ−ツェンダ変調器を使用して）変調するのに使用される。
【００３２】
図２ａに示される光受信機２３０は、受信された光信号をペアの複素デジタル信号に変換するように構成されたコヒーレント光受信機であり、各デジタル信号は、同相成分と、直交位相成分とを備える。この目的で、コヒーレンス受信機は、コヒーレント検出器と、アナログ−デジタル変換器（ＡＤＣ）２３１のバンクとを備えることが可能である。さらに、光受信機２３０は、判定ユニット２３６において２つの系列のシンボル２１１を回復するために、そのペアのデジタル信号を処理する第２のデジタルシグナルプロセッサ２３８（例えば、ＡＳＩＣ）を備える。そのペアのデジタル信号を処理することは、通常、ＣＤ補償２３２と、クロック回復（ＤＣＲ）２３３と、搬送波周波数／搬送波位相推定２３５とを備える。
【００３３】
さらに、この処理は、通常、偏波多重分離−等化ユニット２３４を備える。偏波多重分離ユニット２３４は、チャネル等化のため、および／または偏波多重分離のために使用される１つまたは複数の等化フィルタを備えることが可能である。偏波多重分離ユニット２３４は、通常、バタフライ構造に構成された４つのＦＩＲ（有限インパルス応答）フィルタ２７１のバンク２７０を備える（図２ｂ参照）。ＦＩＲフィルタ２７１のフィルタタップは、適応ユニット２７２を備えるフィードバックループ内で決定されて、絶えず適応させられることが可能である。適応ユニット２７２は、「ブラインド」の様態でフィルタタップを絶えず適応させるＣＭＡアルゴリズムを実行することが可能である。つまり、ＣＭＡアルゴリズムは、受信された光信号から導き出されたデジタル信号のペアのサンプルだけに基づいて、ＦＩＲフィルタ２７１のフィルタタップを決定する。これらのフィルタタップは、偏波多重分離ユニット２３４の下流の（すなわち、ＦＩＲフィルタバンク２７０を用いたフィルタリングの後に）フィルタリングされた信号が所定の信号特性を示すように、通常、決定される。例として、単位振幅の信号の場合、ＣＭＡは、偏波多重分離ユニット２３４の出力における誤差項Ｅ＝（｜Ｓｏｕｔ｜−１）２の大きさを最小限に抑えようと試みることが可能であり、｜Ｓｏｕｔ｜は、偏波多重分離ユニット２３４の出力信号Ｓｏｕｔの強度（または振幅）である。
【００３４】
ＣＭＡアルゴリズムは、Ｇｏｄａｒｄ（ＩＥＥＥ  Ｔｒ．Ｃｏｍｍ、ｖｏｌ．２８、ｎｏ．１１、１８６７−１８７５頁、１９８０年）によって導入され、ＣＭＡアルゴリズムの説明は、参照により組み込まれている。さらに、ＣＭＡは、Ｓ．Ｊ．Ｓａｖｏｒｙ他、「Ｄｉｇｉｔａｌ  Ｅｑｕａｌｉｚａｔｉｏｎ  ｏｆ  ４０Ｇｂｉｔ／ｓ  ｐｅｒ  Ｗａｖｅｌｅｎｇｔｈ  Ｔｒａｎｓｍｉｓｓｉｏｎ  ｏｖｅｒ  ２４８０ｋｍ  ｏｆ  Ｓｔａｎｄａｒｄ  Ｆｉｂｅｒ  ｗｉｔｈｏｕｔ  Ｏｐｔｉｃａｌ  Ｄｉｓｐｅｒｓｉｏｎ  Ｃｏｍｐｅｎｓａｔｉｏｎ」、Ｐｒｏｃｅｅｄｉｎｇｓ  ｏｆ  ＥＣＯＣ２００６、Ｃａｎｎｅｓ、Ｆｒａｎｃｅ、ｐａｐｅｒ  Ｔｈ２．５．５、２００６年９月という文献においても説明される。この文献におけるＣＭＡの説明は、参照により本明細書に組み込まれている。
【００３５】
偏波多重分離ユニット２３４のＦＩＲフィルタ２７１は、
【００３６】
【数１】
0005981022.tif 000002
として表されることが可能であり、
ｉ、ｊ＝１、２は、４つのＦＩＲフィルタ２７１のそれぞれを識別するインデックスであり、さらにｃｉｊ、ｎ＝０、．．．、Ｎ−１は、それぞれのＦＩＲフィルタ２７１のＮ個のフィルタタップであり、Ｎは、１０の範囲内にある。ＦＩＲフィルタ２７１は、いわゆるコモンモード成分と、いわゆるディファレンシャルモード成分という２つのフィルタ成分に通常、分割され得る。ディファレンシャルモード成分は、２つの直交偏波信号成分の偏波面を正しく識別するために、受信された信号の偏波面を調整することを主に担う。コモンモード成分は、隣接するＷＤＭチャネルに対する特定のＷＤＭチャネルの干渉に起因し得る、受信された信号内の望ましくないクロストーク歪みを除去することを主に担う。このため、コモンモード成分は、特定のＷＤＭチャネルの信号部分を、隣接するＷＤＭチャネルを出所とする信号部分から分離することに通常、向けられる。
【００３７】
Ｈ１１（ｚ）およびＨ２１（ｚ）を、偏波多重分離ユニット２３４の入力でペアのデジタル信号２７３、２７４をミキシングして、（偏波多重分離ユニット２３４の出力で）第１の偏波多重分離されたデジタル信号２７５をもたらすＦＩＲフィルタ２７１であるものとする。これら２つのＦＩＲフィルタのコモンモード成分は、これら２つのＦＩＲフィルタＨ１１（ｚ）およびＨ２１（ｚ）から導き出された二乗絶対値応答の合計の平方根として決定され得る。もたらされるフィルタは、第１の偏波に関するコモンモードＦＩＲフィルタ成分、または第１のコモンモードフィルタと呼ばれ得る。同様に、第２の偏波に関するコモンモードＦＩＲフィルタ成分（または第２のコモンモードフィルタ）が、偏波多重分離ユニット２３４の入力でペアのデジタル信号２７３、２７４をミキシングして、（偏波多重分離ユニット２３４の出力で）第２の偏波多重分離された信号２７６をもたらすフィルタＨ１２（ｚ）およびＨ２２（ｚ）から決定され得る。これらのコモンモード成分は、例えば、フィードバックユニット２３７において決定され得る。
【００３８】
このため、コヒーレント受信機２３０は、通常、線形適応等化器（例えば、ＣＭＡ、判定指向型ＬＭＳ（最小平均二乗）などを利用する）を使用して、伝送の後の受信された偏波トリビュタリを多重分離する。これらの線形等化器は、通常、スペクトルの最高周波数を強化することによって、シンボル間干渉によって生じるペナルティを軽減しようと試みる。低い光ＳＮＲで、このことは、信号帯域幅に包含されるノイズの強化を生じさせて、その結果、パフォーマンスを低下させる可能性がある。この問題を回避するために、受信機２３０における線形等化器応答のスペクトルプロファイルを使用して、送信機２１０における送信機フィルタ２１２によって使用されるフィルタリングプロファイルを構成して、その結果、受信される帯域幅に対する送信される信号のエネルギーを最大化する（すなわち、増加させる）ことが提案される。この目的で、ＣＭＡのスペクトル応答が、フィードバックユニット２３７内の低速マイクロコントローラにおいて解析され得る。つまり、ＣＭＡアルゴリズムは、シンボルレートと比べて、（例えば、シンボルレートと比べて１／１０または１／１００の）より低い更新レートで通常、動作する。その結果、ＣＭＡのスペクトル応答の決定、すなわち、ＦＩＲフィルタ２７１の決定は、受信されるデジタル信号の処理と比べて、より低いプロセッサレートで実行され得る。
【００３９】
送信機２１０におけるきついフィルタリングがＣＭＡフィルタのスペクトル応答に（すなわち、ＦＩＲフィルタ２７１に）与える影響の例が、図３に示される。３３ＧＨｚ帯域幅インターリーバで（すなわち、図３に示される周波数応答３００を有する送信機フィルタ２１２で）３２ギガボーＰＤＭ−ＱＰＳＫ信号を実験的にフィルタリングした後、受信機２３０におけるＦＩＲフィルタ２７１のスペクトル応答３０１は、高い周波数の明確な強化を示す。高い周波数のこの強化は、低いＯＳＮＲにおけるノイズ強化につながって、その結果、光伝送システム２００のパフォーマンスを低下させる可能性がある。
【００４０】
受信機２３０におけるノイズ強化の効果を小さくするために、ＦＩＲフィルタ２７１のスペクトル応答３０１を送信機２１０に供給して、その結果、送信機２１０が、受信機２３０におけるノイズの望ましくない強化を低減する適切な送信機フィルタ２１２を設計することを可能にすることが提案される。このことは、制御プレーン２６０を利用して行われ得る。詳細には、受信機２３０が、ＦＩＲフィルタ２７１の周波数応答３０１に関する情報を制御プレーン２６０に送ることが可能であり、制御プレーン２６０が、この情報を送信機２１０に転送することが可能である。代替として、またはさらに、本出願の後のセクションで概略を述べるとおり、ダイレクトアップストリーム通信プロセスが使用されてもよい。そのようなダイレクトアップストリーム通信プロセスは、制御プレーン２６０を介した通信より高速であって、その結果、ダイナミクスを高めることが可能である。
【００４１】
受信機２３０から送信機２１０に送信される情報の量を減らすために、ＦＩＲフィルタ２７１のスペクトル応答３０１は、近似されてもよいことに留意されたい。この目的で、ＦＩＲフィルタ応答は、例えば、所定の次数の多項式によって、または正弦関数によって適合させられることが可能である。その結果、少数の適合パラメータだけが、受信機２３０から送信機２１０に送信される。代替として、またはさらに、受信機２３０と送信機２１０が、デフォルトのスペクトル応答の共通リスト（フィルタリング関数のバンクとも呼ばれる）を利用してもよい。受信機２３０（詳細には、フィードバックユニット２３７）が、そのリストから、ＦＩＲフィルタ２７１の実際のスペクトル応答３０１を最もよく近似するデフォルトのスペクトル応答を選択するように構成され得る。この事例では、そのリストからのインデックスだけが送信機２３０に送信されることが可能である。次に、送信機２３０が、その送信されたインデックスを使用して共通リストからデフォルトのスペクトル応答を回復するように構成される（例えば、プロファイリングユニット２１７を使用して）。
【００４２】
ＦＩＲフィルタ２７１のスペクトル応答３０１に関する情報（例えば、ＦＩＲフィルタ係数、適合パラメータ、および／またはデフォルトのフィルタの共通リストに対するインデックス）は、送信機２１０によって、送信機フィルタ２１２において実行されるパルス整形を変更し、その結果、偏波多重分離２３４の後に信号対ノイズ比を最適化し（すなわち、高め）、したがって、光伝送システム２００のパフォーマンスを最適化する（すなわち、高める）のに使用され得る。
【００４３】
前段で概略を述べたとおり、偏波多重分離ユニット２３４のＦＩＲフィルタ２７１は、通常、コモンモード成分を備える。詳細には、第１の偏波、および第２の偏波に関して、それぞれ、特定のコモンモード成分が決定されることが可能である。第１の偏波に関するコモンモード成分は、第１のコモンモード成分と呼ばれることが可能であり、第２の偏波に関するコモンモード成分は、第２のコモンモード成分と呼ばれることが可能である。第１のコモンモード成分は、Ｈ１１（ｚ）およびＨ２１（ｚ）から導き出されることが可能であり、第２のコモンモード成分は、Ｈ１２（ｚ）およびＨ２２（ｚ）から導き出されることが可能である。図３に示される周波数応答３０１は、第１のコモンモード成分または第２のコモンモード成分の周波数応答に対応する。このため、受信機２３０（例えば、フィードバックユニット２３７）は、第１のコモンモード成分および／または第２のコモンモード成分に関する情報を送信機２１０に（例えば、送信機２１０のプロファイリングユニット２１７に）供給するように構成され得る。
【００４４】
図４は、３２ギガボーＰＤＭ−ＱＰＳＫ実験データを使用してＦＩＲフィルタ２７１に基づいて送信機フィルタ２１２を構成するための例示的なスキーム４００を示す。ＰＤＭ−ＱＰＳＫデータ２１１は、周波数応答４０１を有する標準の３３ＧＨｚチャネルフィルタを使用してフィルタリングされる。受信機２３０で、偏波多重分離ユニット２３４（例えば、ＣＭＡアルゴリズムを使用する）が、ＦＩＲフィルタ２７１のバンク２７０をもたらす。ＦＩＲフィルタ２７１の第１のコモンモードまたは第２のコモンモードのスペクトル応答４０２が、図４に示される。ＦＩＲフィルタ２７１の第１のコモンモード成分および第２のコモンモード成分のスペクトル応答４０２は、送信機２１０にフィードバックされる、適合させられたスペクトル応答４０３をもたらすように適合させられて、その結果、受信機２３０から送信機２１０に送信されるべきデータの量を減らすことが可能である。
【００４５】
送信機２１０のプロファイリングユニット２１７が、受信機２３０から受信された情報を使用して、送信機フィルタ２１２のスペクトル応答を構成して、その結果、伝送チャネルのＳＮＲを高めることが可能である。代替として、標準の送信機フィルタ４０５（フィルタ４０１に対応する）を使用してフィルタリングすることに先立って、プリエンファシスフィルタ４０４が系列のシンボル２１１に適用されてもよい。つまり、時間領域において送信機フィルタ２１２のパルス整形を変更することと同様に、チャネル応答が、受信機２３０から受信されたフィルタリングプロファイルを使用して送信機側で変更されることが可能である。送信機２１０で実行されるフィルタリングのこの変更の後、受信機２３０におけるＦＩＲフィルタ２７１のスペクトル応答４０６は、より平坦になり、これにより、低いＯＳＮＲにおけるノイズ強化を小さくし、光伝送システム２００のパフォーマンスを向上させる。実験が、例えば、フィルタ最適化による０．５ｄＢのＯＳＮＲ向上を示している。この向上は、よりきついフィルタリングの場合、つまり、３３ＧＨｚ未満、例えば、２５ＧＨｚにおけるフィルタリングの場合、さらに大きいはずである。
【００４６】
以下に、ＦＩＲフィルタ２７１に関するフィードバック情報を送信機２１０に供給するための、受信機２３０と送信機２１０の間の直接フィードバックリンクの可能な実施例が説明される。この目的で、受信機２３０および送信機２１０は、受信機２３０を備える（遠端）トランスポンダと、送信機２１０を備える（近端）トランスポンダの間でアップストリーム通信パス、つまり、逆方向通信パスを利用する。遠端トランスポンダと近端トランスポンダは、光通信システム２００のＷＤＭチャネル２１１、２１２上でデータ（すなわち、ペイロードデータ）を交換するために使用される通信プロトコルを利用することが可能である。詳細には、遠端トランスポンダ２３０と近端トランスポンダ２１０は、ＩＴＵ−Ｔ標準Ｇ．７０９において指定される光トランスポートネットワーク（ＯＴＮ）プロトコルフレームワークを利用することが可能である。ＯＴＮフレームワークは、光通信システム２００にわたってペイロードをどのようにルーティングすべきかを定義する。ペイロードデータは、いわゆるフレームに埋め込まれ、各フレームは、フレームオーバヘッドを備える。フレームオーバヘッドは、複数のフィールド（バイト）を備え、この複数のフィールドは、光通信システム２００のネットワーク要素（例えば、受信機２３０を備える遠端トランスポンダと送信機２１０を備える近端トランスポンダ）の間で特定の通信チャネルおよび制御チャネルを実装するのに使用され得る。ＯＴＮフレーム（通常、光トランスポートユニット（ＯＴＵｋ）フレームと呼ばれる）のオーバヘッドは、近端トランスポンダおよび遠端トランスポンダによって直接にアクセス可能である。
【００４７】
したがって、遠端トランスポンダ（受信機２３０を備える）は、遠端トランスポンダから近端トランスポンダ（送信機２１０を備える）に光通信チャネルを介して送信されるＯＴＵｋフレームのオーバヘッドの所定のバイトの中に、ＦＩＲフィルタ２７１のフィルタ応答に関する情報を挿入して、その結果、送信機フィルタ２１２のプロファイルをどのように構成すべきかについて近端トランスポンダに知らせることが可能である。このため、フィードバック通信リンクは、遠端トランスポンダ（受信機２３０を備える）と近端トランスポンダ（送信機２１０を備える）の間の帯域内通信リンクとして実施されることが可能である。
【００４８】
本出願において、間隔の狭いＷＤＭ伝送システムに関して送信機フィルタを決定するためのスキームが説明されてきた。このスキームは、ＷＤＭ伝送チャネルの受信機における等化器フィルタの周波数応答に基づいて、特定のＷＤＭ伝送チャネルに関する送信機フィルタを決定することを可能にする。その結果、ＷＤＭ伝送チャネルのパフォーマンスが向上させられることが可能である。詳細には、提案されるスキームは、超高密度ＷＤＭシステムのコンテキストにおいてコヒーレント受信機における信号対ノイズ比の最適化を可能にする。さらに、提案されるスキームは、超高密度ＷＤＭシステムにおけるきつくフィルタリングされた信号のパフォーマンスの柔軟性のある最適化を可能にし、このとが、より長い最大伝送距離をもたらす。
【００４９】
提案されるスキームは、ＷＤＭ伝送チャネルの立ち上げ段階（例えば、ＷＤＭ伝送チャネルの帯域幅の変更の後に続く、またはＷＤＭチャネルの初期セットアップの後に続く）中に実行され得る。さらに、提案されるスキームは、送信機におけるパルス整形を変化するチャネル条件に適応させるために、定期的に実行され得る。前述したとおり、送信機フィルタの構成は、ＰＤＭ信号の各偏波に関して別々に実行され得る。代替として、両方の偏波に関して共通の送信機フィルタが使用されてもよい。共通の送信機フィルタが使用される場合、ＦＩＲフィルタのすべてのフィルタのコモンモードに関する情報が、受信機から送信機にフィードバックされ得る。ＦＩＲフィルタのすべてのフィルタのコモンモードは、ＦＩＲフィルタのすべてのフィルタの合計および／または平均として導き出され得る。
【００５０】
この説明、および図面は、提案される方法およびシステムの原理を単に例示するに過ぎないことに留意されたい。このため、当業者は、本明細書で明示的に説明されることも、示されることもないものの、本発明の原理を実現し、本発明の趣旨および範囲に含められる様々な構成を考案することができることが認識されよう。さらに、本明細書で使用されるすべての実施例は、提案される方法およびシステムの原理、ならびに当技術分野を進展させることに寄与する本発明者らによる概念を読者が理解することを助ける教育上の目的だけを主に、明確に意図しており、そのような特に記載される実施例および条件に限定することなしに解釈されるべきものである。さらに、本発明の原理、態様、および実施形態について述べる本明細書のすべての記述、ならびにそのような原理、態様、および実施形態の特定の実施例は、そのような原理、態様、および実施形態の均等物を包含することを意図している。
【００５１】
さらに、前述した様々な方法のステップ、および説明されるシステムの構成要素は、プログラミングされたコンピュータによって実行され得ることに留意されたい。本明細書で、一部の実施形態は、マシン可読またはコンピュータ可読であるとともに、命令のマシン実行可能プログラムまたはコンピュータ実行可能プログラムを符号化するプログラムストレージデバイス、例えば、デジタルデータ記憶媒体を範囲に含むことも意図しており、前記命令は、前記前述した方法のステップのいくつか、またはすべてを実行する。プログラムストレージデバイスは、例えば、デジタルメモリ、磁気ディスクや磁気テープなどの磁気記憶媒体、ハードドライブ、または光学的に読み取り可能なデジタルデータ記憶媒体であり得る。また、実施形態は、前述した方法の前記ステップを実行するようにプログラミングされたコンピュータを範囲に含むことも意図している。
【００５２】
さらに、本特許出願において説明される様々な要素の機能は、専用のハードウェア、ならびに適切なソフトウェアに関連してソフトウェアを実行することができるハードウェアを介して提供され得ることに留意されたい。プロセッサによって提供される場合、それらの機能は、単一の専用プロセッサによって提供されても、単一の共有されるプロセッサによって提供されても、いくつかが共有され得る、複数の個々のプロセッサによって提供されてもよい。さらに、「プロセッサ」または「コントローラ」という用語の明示的な使用は、ソフトウェアを実行することができるハードウェアだけを指すものと解釈されるべきではなく、限定なしに、デジタルシグナルプロセッサ（ＤＳＰ）ハードウェア、ネットワークプロセッサ、特定用途向け集積回路（ＡＳＩＣ）、フィールドプログラマブルゲートアレイ（ＦＰＧＡ）、ソフトウェアを格納するための読み取り専用メモリ（ＲＯＭ）、ランダムアクセスメモリ（ＲＡＭ）、および不揮発性ストレージを暗黙に含み得る。従来の、さらに／またはカスタムの他のハードウェアが含められることも可能である。
【００５３】
最後に、本明細書のいずれのブロック図も、本発明の原理を実現する例示的な回路の概念図を表すことに留意されたい。同様に、フローチャート、流れ図、状態遷移図、疑似コードなども、コンピュータ可読媒体として実質的に表され、したがって、コンピュータまたはプロセッサによって、そのようなコンピュータまたはプロセッサが明示されるか否かにかかわらず、実行されることが可能である様々なプロセスを表すことが認識されよう。
【図１】
0005981022.tif 000003
【図２ａ】
0005981022.tif 000004
【図２ｂ】
0005981022.tif 000005
【図３】
0005981022.tif 000006
【図４】
0005981022.tif 000007